(57)【要約】【課題】抱き枕の良好な接触感を維持しつつ、形態の保持性や耐久性を向上させること。【解決手段】本発明の抱き枕は、包含される芯材の断面形状が略三角形の袋に収納され、隣り合う面が応力に応じて滑るような構造であるのと、その袋の角部の一部が連結され外袋で一体化されている。【選択図】図１
2009011795.tif 000002
【特許請求の範囲】
【請求項１】
安眠を目的にするトルソー形状の抱き枕において、
抱き枕の凸部以外の緩やかな曲面を構成する素材が、織物の裏側に綿状の不織布を縫着し、凸部の裾野の周部分まで開口とした内袋に、伸縮性のある織物の袋に綿を入れた凸部の一部を内袋の周部分の内側から取り出すようにし、内袋の空白部分に芯材を適宜充填し口部を縫着し、更に伸縮性のあるトルソー形状に立体縫製された外袋に収納されていることを特徴とするトルソー形状の抱き枕。
【請求項２】
前記緩やかな曲面を構成する内袋の曲面形状を保持させる為に、断面形状が略三角形で、角部分に連結用の縫い代を有し、芯材を充填した袋を、曲面形状に合わせて連結し、形態保持芯としたものであることを特徴とする請求項１記載のトルソー形状の抱き枕。
【発明の詳細な説明】
【技術分野】
【０００１】  本発明は、安眠のために用いられる布帛製の抱き枕についてのものである。
【背景技術】
【０００２】  この種の抱き枕に関しては、抱き枕に関する特許文献１記載のものを例示する。この抱き枕は、適宜の布地から上半身に対応する部分を外向き楕円型に拡大湾曲し、下半身に対応する部分を内向き楕円形に極小湾曲し、下端との中間所要位置で最小幅とし、下端に向けて拡大湾曲する形状外縁の袋状に設けると共に、その内方に合成樹脂ビーズを所要量充填しているようになっている。【０００３】
【特許文献１】特開平１１−１１３７０７
【発明の開示】
【発明が解決しようとしている課題】
【０００４】  ところが、従来の抱き枕では、身体を横向きに支えおよび脚部の安定を得ながら就寝することは可能であるが、内包する合成樹脂ビーズの充填量が多くなったり移動して部分的に密度が高くなると硬くなるために抱き心地が悪くなり、逆に偏りにより少なくなると、必要な立体が薄っぺらなものに変化するという問題や、抱いた時の応力の集中により布の破袋等の耐久性の問題があった。
【０００５】  また、抱き枕というものは違和感なく習慣的に使用するものであるため、重要な湾曲部分の形態が保持され難いと、安眠の妨げになったりする場合もある。
【課題を解決するための手段】
【０００６】  上記課題を解決するために、第１の発明のトルソー形状の抱き枕は、
抱き枕の凸部以外の緩やかな曲面を構成する素材が、織物の裏側に綿状の不織布を縫着し、凸部の裾野の周部分まで開口とした内袋に、伸縮性のある織物の袋に綿を適宜入れた凸部の一部を内袋の周部分の内側から取り出すようにし、内袋の空白部分に芯材を適宜充填し、口部を縫着し、更に伸縮性のあるトルソー形状に立体縫製された外袋に収納されている。
【０００７】  第２の発明のトルソー形状の抱き枕は、
緩やかな曲面を構成する内袋の曲面形状を保持させる為に、断面形状が略三角形で、角部分に連結用の縫い代を有し、芯材充填した袋を、曲面形状に合わせて連結し、形態保持芯としたものである態様を例示する。
【０００８】  以上において、トルソー形状の抱き枕は、特に限定されないが、使用される綿、不織布状の綿、断面形状が略三角形に分割された芯材の素材が、低反発のスポンジであっても良い。
【発明の効果】
【０００９】  本発明に係るトルソー形状の抱き枕によれば、より女性の人体に近い接触感、所謂母性的な接触感が味わえることと、人体に近い曲面形状を保持させることが可能であるため、習慣的に使用することが多い抱き枕として違和感を発生させ難いという優れた効果を奏する。
【発明を実施するための最良の形態】
【００１０】  図１〜図４は本発明を具体化した一実施形態のトルソー形状の抱き枕を示している。以下、本発明の実施形態を図面を参照して説明する。
図１の断面図に示すように、このトルソー形状の抱き枕は、外側から外袋１、内袋２、内袋用綿３、凸部袋４、凸部芯材５、形態保持芯用袋６、形態保持芯用芯材７という構成で出来ている。【００１１】  それぞれの素材は、外袋に収納されたようになっているのであるが、そもそも抱き枕というものは、部分的に相当な応力が掛かるものであり、縫製の強度を上げて破断し難くしようとしたら、縫い糸の番手を太くしたり、布帛の強度を上げること、つまり目付けを高くする必要がある。しかしながら、単純に強度を上げていこうとすると、繊維の持つ風合いが阻害され、ごわごわして来るため接触感が損なわれる。【００１２】  このトルソー形状の抱き枕は、構成するパーツの必要最低限の部分のみが縫着されていて、応力が掛かった場合には、その形態を保持しつつ、内部のパーツ同士が滑りによる逃げの効果を発生し、ある程度の応力による袋の破断を食い止めようとする働きをする。【００１３】  次に、図２に示すように、凸部の一部が内袋２の開口部分８より表に出ていることを表すもので、一体型にすると凸部に応力が集中して破断したり、凸部の形状が復元しにくくなるのであるが、このような形状にすることで、遊び部分が凸部の裾野部分に発生するため、抱いた時に違和感なく、ソフトな凸部を感じるようになっている。【００１４】  図３は、断面形状が略三角形の形態保持芯用袋６で、角部分に他の袋と縫製をするための連結用の縫い代９が付いていることを表すものである。断面形状が略三角形の袋を組み合わせる理由としては、人体の断面形状が完全な球ではなく、平面に近い面や三次元の曲面の組み合わせから出来ている。【００１５】  そのため、連結前の形態保持芯用袋６は、柑橘類の果実に見られるような、包含した果実を分割する袋のような構造であり、重なり合う面が部分的に滑りあうような滑り面１１を持つ構造で断面形状を形成するようにしている。【００１６】  図４は、略三角形の袋を人体の断面形状になるように組み合わせて縫着したものを表すもので、伸縮の少ない布１６を１４から１５の部分に渡して縫い、その空間部分に１２と１３の連結された芯材を挿入し、中央部分の膨らみを平滑に制御するようになっている。【００１７】  以上のように構成された本例のトルソー形状の抱き枕によれば、風合いの良い布帛を用いることが出来、より人体に近い接触感を味わうことが出来る。【００１８】  なお、本発明は前記実施形態に限定されるものではなく、例えば以下のように、発明の趣旨から逸脱しない範囲で適宜変更して具体化することもできる。
（１）本発明の袋の素材が面ファスナーの♀機能を持つもので、部分的に縫着された♂の係合部材と組み合わせて使用すること。
【図面の簡単な説明】
【００１９】
【図１】トルソー形状の抱き枕を表した斜視図である。
【図２】凸部と内袋を表した断面図である。
【図３】形態保持芯用袋を示す斜視図である。
【図４】芯材を連結した状態を示す斜視図である。
【符号の説明】
【００２０】  １  外袋
２  内袋
３  内袋用綿
４  凸部袋
５  凸部芯材
６  形態保持芯用袋
７  形態保持芯用芯材
８  開口部分
９  縫い代
１０  連結部
１１  滑り面
１２  左右の芯材
１３  上側の芯材
１４  右側縫着部
１５  左側縫着部
１６  伸縮の少ない布
【図１】
2009011795.tif 000003
【図２】
2009011795.tif 000004
【図３】
2009011795.tif 000005
【図４】
2009011795.tif 000006